【手続補正書】
【提出日】平成25年5月17日(2013.5.17)
【手続補正１】
【補正対象書類名】特許請求の範囲
【補正対象項目名】全文
【補正方法】変更
【補正の内容】
【特許請求の範囲】
【請求項１】
（a）ユーザーがアクチュエーターを作動させると、プッシュロッドを前進させるように構成されている、アクチュエーターとプッシュロッドとを含むアクチュエーター部分、
（b）カートリッジがカートリッジハウジング内に位置する場合に、プッシュロッドがカートリッジの中に前進することができるように、アクチュエーター部分に取り付けられている、粘性の流体を含有するカートリッジを受けるように構成されているカートリッジハウジング、および
（c）ユーザーがアクチュエーターを作動させると、粘性の流体をカートリッジから表面に移動させるように構成されている2つまたはそれより多くのチューブ状部材を含む、カートリッジハウジングに解放可能に係合する先端、
を含む、2滴またはそれより多くの外科用接着剤である粘性の流体を生物学的組織の表面に適用するための送達装置であって、
アクチュエーターを1回作動させると、チューブ状部材の各々から粘性の流体1滴を同時に分配することができ、分配された液滴の各々の容量が実質的に類似である、送達装置。
【請求項２】
粘性の流体が1000 cPの粘度を有する、請求項1記載の送達装置。
【請求項３】
表面がヒトの体表面である、請求項1記載の送達装置。
【請求項４】
表面がヒト組織を含む、請求項1記載の送達装置。
【請求項５】
アクチュエーター部分がハンドルを含む、請求項1記載の送達装置。
【請求項６】
アクチュエーターがトリガーまたはボタンである、請求項1記載の送達装置。
【請求項７】
プッシュロッドがプッシュロッドの遠位末端に取り付けられたプランジャーを含む、請求項1記載の送達装置。
【請求項８】
カートリッジハウジングが円柱形である、請求項1記載の送達装置。
【請求項９】
ユーザーがアクチュエーターを作動させるとプッシュロッドがカートリッジの中に前進することができ、ユーザーがアクチュエーターを解放するとプッシュロッドが後退することができる、請求項1記載の送達装置。
【請求項１０】
ユーザーがアクチュエーターを作動させるとプッシュロッドがカートリッジの中に前進することができ、ユーザーがアクチュエーターを解放すると、プッシュロッドの後退が制止される、請求項1記載の送達装置。
【請求項１１】
ユーザーがアクチュエーターを作動させると粘性の流体をカートリッジから表面に移動させるように構成されている3つのチューブ状部材を先端が含む、請求項1記載の送達装置。
【請求項１２】
チューブ状部材の遠位先端が直線状に構成され、かつ実質的に類似の距離互いに連続的に離れている、請求項11記載の送達装置。
【請求項１３】
第一の分配された液滴の組から既定の距離に第二の分配された液滴の組をユーザーが整列させることができるように構成されている間隔ゲージを先端が含む、請求項12記載の送達装置。
【請求項１４】
間隔ゲージの遠位先端が、前記直線から前記実質的に類似の距離と類似の距離で配置される、請求項13記載の送達装置。
【請求項１５】
先端が、チューブ状部材の各々についての支持体を含む、請求項1記載の送達装置。
【請求項１６】
支持体が、チューブ状部材のためのチャネルを形成するように構成されている、請求項15記載の送達装置。
【請求項１７】
チューブ状部材が0.011インチから0.025インチのあいだの内径を有する、請求項1記載の送達装置。
【請求項１８】
第一の分配された液滴の組から既定の距離に第二の分配された液滴の組をユーザーが整列させることができるように構成されている間隔ゲージを先端が含む、請求項1記載の送達装置。
【請求項１９】
カートリッジが遠位末端、近位末端、および近位末端の近傍のカートリッジ内に位置するプランジャーを含み、近位末端がシールを含み、ならびにプッシュロッドがプランジャーに係合するように構成されている、請求項1記載の送達装置。
【請求項２０】
プッシュロッドの遠位末端がシール穿孔要素を含む、請求項19記載の送達装置。
【請求項２１】
シール穿孔要素が少なくとも6つの伸長部を含む、請求項20記載の送達装置。
【請求項２２】
シール穿孔要素がカートリッジの近位末端のシールを穿孔するように構成されている、請求項20記載の送達装置。
【請求項２３】
カートリッジが、遠位末端および近位末端を含み、遠位末端がシールを含み、ならびに送達装置の遠位部分が、カートリッジが送達装置内の1つの位置から送達装置の遠位末端に向かって前進すると、カートリッジの遠位末端のシールを穿孔するように構成されている穿孔要素を含む、請求項1記載の送達装置。
【請求項２４】
アクチュエーターリングが回転するとカートリッジを送達装置内の1つの位置から送達装置の遠位末端に向かって前進させるように構成されているアクチュエーターリングを含む、請求項23記載の送達装置。
【請求項２５】
（a）プッシュロッド；
（b）ユーザーがアクチュエーターを作動させると、プッシュロッドを前進させるように構成されている、アクチュエーター；
（c）カートリッジがカートリッジハウジング内に位置する場合にプッシュロッドがカートリッジの中に前進することができる、粘性の流体を含有するカートリッジを収容するように構成されているカートリッジハウジング部分；および
（d）ユーザーがアクチュエーターを作動させると、粘性の流体をカートリッジから表面まで移動させるように構成されている2つまたはそれより多くのチューブ状部材を含む、送達装置の遠位末端に位置する先端
を含む、2滴またはそれより多くの外科用接着剤である粘性の流体を生物学的組織の表面に適用するための送達装置であって、
アクチュエーターを1回作動させると、チューブ状部材の各々から粘性の流体1滴を同時に分配することができ、分配された液滴の各々の容量が実質的に類似である、送達装置。
【請求項２６】
粘性の流体が1000 cPの粘度を有する、請求項25記載の送達装置。
【請求項２７】
表面がヒトの体表面である、請求項25記載の送達装置。
【請求項２８】
表面がヒト組織を含む、請求項25記載の送達装置。
【請求項２９】
ハンドルを含む、請求項25記載の送達装置。
【請求項３０】
アクチュエーターがトリガーまたはボタンである、請求項25記載の送達装置。
【請求項３１】
プッシュロッドがプッシュロッドの遠位末端に取り付けられたプランジャーを含む、請求項25記載の送達装置。
【請求項３２】
カートリッジハウジングが円柱形である、請求項25記載の送達装置。
【請求項３３】
ユーザーがアクチュエーターを作動させるとプッシュロッドがカートリッジの中に前進することができ、ユーザーがアクチュエーターを解放するとプッシュロッドが後退することができる、請求項25記載の送達装置。
【請求項３４】
ユーザーがアクチュエーターを作動させるとプッシュロッドがカートリッジの中に前進することができ、ユーザーがアクチュエーターを解放すると、プッシュロッドの後退が制止される、請求項25記載の送達装置。
【請求項３５】
ユーザーがアクチュエーターを作動させると粘性の流体をカートリッジから表面に移動させるように構成されている3つのチューブ状部材を先端が含む、請求項25記載の送達装置。
【請求項３６】
チューブ状部材の遠位先端が直線状に構成され、かつ実質的に類似の距離互いに連続的に離れている、請求項35記載の送達装置。
【請求項３７】
ユーザーが第一の分配された液滴の組から既定の距離に第二の分配された液滴の組を整列させることができるように構成されている間隔ゲージを先端が含む、請求項36記載の送達装置。
【請求項３８】
間隔ゲージの遠位先端が、前記直線から、前記実質的に類似の距離と類似の距離で配置される、請求項37記載の送達装置。
【請求項３９】
先端が、チューブ状部材の各々についての支持体を含む、請求項25記載の送達装置。
【請求項４０】
支持体が、チューブ状部材のためのチャネルを形成するように構成されている、請求項39記載の送達装置。
【請求項４１】
チューブ状部材が0.011インチから0.025インチのあいだの内径を有する、請求項25記載の送達装置。
【請求項４２】
ユーザーが第一の分配された液滴の組から既定の距離に第二の分配された液滴の組を整列させることができるように構成されている間隔ゲージを先端が含む、請求項25記載の送達装置。
【請求項４３】
カートリッジが遠位末端、近位末端、および近位末端の近傍のカートリッジ内に位置するプランジャーを含み、近位末端がシールを含み、ならびにプッシュロッドがプランジャーに係合するように構成されている、請求項25記載の送達装置。
【請求項４４】
プッシュロッドの遠位末端がシール穿孔要素を含む、請求項43記載の送達装置。
【請求項４５】
シール穿孔要素が少なくとも6つの伸長部を含む、請求項44記載の送達装置。
【請求項４６】
シール穿孔要素がカートリッジの近位末端のシールを穿孔するように構成されている、請求項44記載の送達装置。
【請求項４７】
カートリッジが、遠位末端および近位末端を含み、遠位末端がシールを含み、ならびに送達装置の遠位部分が、カートリッジが送達装置内の1つの位置から送達装置の遠位末端に向かって前進すると、カートリッジの遠位末端のシールを穿孔するように構成されている穿孔要素を含む、請求項25記載の送達装置。
【請求項４８】
アクチュエーターリングが回転すると送達装置内の1つの位置から送達装置の遠位末端に向かってカートリッジを前進させるように構成されているアクチュエーターリングを含む、請求項47記載の送達装置。
【手続補正２】
【補正対象書類名】明細書
【補正対象項目名】００１６
【補正方法】変更
【補正の内容】
【００１６】
本発明の1つまたは複数の態様の詳細を添付の図面および以下の説明に記載する。本発明の他の特色、目的、および利点は、説明および図面、ならび特許請求の範囲から明らかとなるであろう。
[本発明1001]
（a）ユーザーがアクチュエーターを作動させると、プッシュロッドを前進させるように構成されている、アクチュエーターとプッシュロッドとを含むアクチュエーター部分、
（b）カートリッジがカートリッジハウジング内に位置する場合に、プッシュロッドがカートリッジの中に前進することができるように、アクチュエーター部分に取り付けられている、粘性の流体を含有するカートリッジを受けるように構成されているカートリッジハウジング、および
（c）ユーザーがアクチュエーターを作動させると、粘性の流体をカートリッジから表面に移動させるように構成されている2つまたはそれより多くのチューブ状部材を含む、カートリッジハウジングに解放可能に係合する先端、
を含む、2滴またはそれより多くの粘性の流体を表面に適用するための送達装置であって、
アクチュエーターを1回作動させると、チューブ状部材の各々から粘性の流体1滴を同時に分配することができ、分配された液滴の各々の容量が実質的に類似である、送達装置。
[本発明1002]
粘性の流体が1000 cPの粘度を有する、本発明1001の送達装置。
[本発明1003]
表面がヒトの体表面である、本発明1001の送達装置。
[本発明1004]
表面がヒト組織を含む、本発明1001の送達装置。
[本発明1005]
アクチュエーター部分がハンドルを含む、本発明1001の送達装置。
[本発明1006]
アクチュエーターがトリガーまたはボタンである、本発明1001の送達装置。
[本発明1007]
プッシュロッドがプッシュロッドの遠位末端に取り付けられたプランジャーを含む、本発明1001の送達装置。
[本発明1008]
カートリッジハウジングが円柱形である、本発明1001の送達装置。
[本発明1009]
ユーザーがアクチュエーターを作動させるとプッシュロッドがカートリッジの中に前進することができ、ユーザーがアクチュエーターを解放するとプッシュロッドが後退することができる、本発明1001の送達装置。
[本発明1010]
ユーザーがアクチュエーターを作動させるとプッシュロッドがカートリッジの中に前進することができ、ユーザーがアクチュエーターを解放すると、プッシュロッドの後退が制止される、本発明1001の送達装置。
[本発明1011]
ユーザーがアクチュエーターを作動させると粘性の流体をカートリッジから表面に移動させるように構成されている3つのチューブ状部材を先端が含む、本発明1001の送達装置。
[本発明1012]
チューブ状部材の遠位先端が直線状に構成され、かつ実質的に類似の距離互いに連続的に離れている、本発明1011の送達装置。
[本発明1013]
第一の分配された液滴の組から既定の距離に第二の分配された液滴の組をユーザーが整列させることができるように構成されている間隔ゲージを先端が含む、本発明1012の送達装置。
[本発明1014]
間隔ゲージの遠位先端が、前記直線から前記実質的に類似の距離と類似の距離で配置される、本発明1013の送達装置。
[本発明1015]
先端が、チューブ状部材の各々についての支持体を含む、本発明1001の送達装置。
[本発明1016]
支持体が、チューブ状部材のためのチャネルを形成するように構成されている、本発明1015の送達装置。
[本発明1017]
チューブ状部材が0.011インチから0.025インチのあいだの内径を有する、本発明1001の送達装置。
[本発明1018]
第一の分配された液滴の組から既定の距離に第二の分配された液滴の組をユーザーが整列させることができるように構成されている間隔ゲージを先端が含む、本発明1001の送達装置。
[本発明1019]
カートリッジが遠位末端、近位末端、および近位末端の近傍のカートリッジ内に位置するプランジャーを含み、近位末端がシールを含み、ならびにプッシュロッドがプランジャーに係合するように構成されている、本発明1001の送達装置。
[本発明1020]
プッシュロッドの遠位末端がシール穿孔要素を含む、本発明1019の送達装置。
[本発明1021]
シール穿孔要素が少なくとも6つの伸長部を含む、本発明1020の送達装置。
[本発明1022]
シール穿孔要素がカートリッジの近位末端のシールを穿孔するように構成されている、本発明1020の送達装置。
[本発明1023]
カートリッジが、遠位末端および近位末端を含み、遠位末端がシールを含み、ならびに送達装置の遠位部分が、カートリッジが送達装置内の1つの位置から送達装置の遠位末端に向かって前進すると、カートリッジの遠位末端のシールを穿孔するように構成されている穿孔要素を含む、本発明1001の送達装置。
[本発明1024]
アクチュエーターリングが回転するとカートリッジを送達装置内の1つの位置から送達装置の遠位末端に向かって前進させるように構成されているアクチュエーターリングを含む、本発明1023の送達装置。
[本発明1025]
（a）プッシュロッド；
（b）ユーザーがアクチュエーターを作動させると、プッシュロッドを前進させるように構成されている、アクチュエーター；
（c）カートリッジがカートリッジハウジング内に位置する場合にプッシュロッドがカートリッジの中に前進することができる、粘性の流体を含有するカートリッジを収容するように構成されているカートリッジハウジング部分；および
（d）ユーザーがアクチュエーターを作動させると、粘性の流体をカートリッジから表面まで移動させるように構成されている2つまたはそれより多くのチューブ状部材を含む、送達装置の遠位末端に位置する先端
を含む、2滴またはそれより多くの粘性の流体を表面に適用するための送達装置であって、
アクチュエーターを1回作動させると、チューブ状部材の各々から粘性の流体1滴を同時に分配することができ、分配された液滴の各々の容量が実質的に類似である、送達装置。
[本発明1026]
粘性の流体が1000 cPの粘度を有する、本発明1025の送達装置。
[本発明1027]
表面がヒトの体表面である、本発明1025の送達装置。
[本発明1028]
表面がヒト組織を含む、本発明1025の送達装置。
[本発明1029]
ハンドルを含む、本発明1025の送達装置。
[本発明1030]
アクチュエーターがトリガーまたはボタンである、本発明1025の送達装置。
[本発明1031]
プッシュロッドがプッシュロッドの遠位末端に取り付けられたプランジャーを含む、本発明1025の送達装置。
[本発明1032]
カートリッジハウジングが円柱形である、本発明1025の送達装置。
[本発明1033]
ユーザーがアクチュエーターを作動させるとプッシュロッドがカートリッジの中に前進することができ、ユーザーがアクチュエーターを解放するとプッシュロッドが後退することができる、本発明1025の送達装置。
[本発明1034]
ユーザーがアクチュエーターを作動させるとプッシュロッドがカートリッジの中に前進することができ、ユーザーがアクチュエーターを解放すると、プッシュロッドの後退が制止される、本発明1025の送達装置。
[本発明1035]
ユーザーがアクチュエーターを作動させると粘性の流体をカートリッジから表面に移動させるように構成されている3つのチューブ状部材を先端が含む、本発明1025の送達装置。
[本発明1036]
チューブ状部材の遠位先端が直線状に構成され、かつ実質的に類似の距離互いに連続的に離れている、本発明1035の送達装置。
[本発明1037]
ユーザーが第一の分配された液滴の組から既定の距離に第二の分配された液滴の組を整列させることができるように構成されている間隔ゲージを先端が含む、本発明1036の送達装置。
[本発明1038]
間隔ゲージの遠位先端が、前記直線から、前記実質的に類似の距離と類似の距離で配置される、本発明1037の送達装置。
[本発明1039]
先端が、チューブ状部材の各々についての支持体を含む、本発明1025の送達装置。
[本発明1040]
支持体が、チューブ状部材のためのチャネルを形成するように構成されている、本発明1039の送達装置。
[本発明1041]
チューブ状部材が0.011インチから0.025インチのあいだの内径を有する、本発明1025の送達装置。
[本発明1042]
ユーザーが第一の分配された液滴の組から既定の距離に第二の分配された液滴の組を整列させることができるように構成されている間隔ゲージを先端が含む、本発明1025の送達装置。
[本発明1043]
カートリッジが遠位末端、近位末端、および近位末端の近傍のカートリッジ内に位置するプランジャーを含み、近位末端がシールを含み、ならびにプッシュロッドがプランジャーに係合するように構成されている、本発明1025の送達装置。
[本発明1044]
プッシュロッドの遠位末端がシール穿孔要素を含む、本発明1043の送達装置。
[本発明1045]
シール穿孔要素が少なくとも6つの伸長部を含む、本発明1044の送達装置。
[本発明1046]
シール穿孔要素がカートリッジの近位末端のシールを穿孔するように構成されている、本発明1044の送達装置。
[本発明1047]
カートリッジが、遠位末端および近位末端を含み、遠位末端がシールを含み、ならびに送達装置の遠位部分が、カートリッジが送達装置内の1つの位置から送達装置の遠位末端に向かって前進すると、カートリッジの遠位末端のシールを穿孔するように構成されている穿孔要素を含む、本発明1025の送達装置。
[本発明1048]
アクチュエーターリングが回転すると送達装置内の1つの位置から送達装置の遠位末端に向かってカートリッジを前進させるように構成されているアクチュエーターリングを含む、本発明1047の送達装置。
[本発明1049]
送達装置のアクチュエーターを1回または複数回作動させる段階を含む、2滴またはそれより多くの粘性の流体を表面に適用する方法であって、
送達装置が
（a）プッシュロッド；
（b）ユーザーがアクチュエーターを作動させると、プッシュロッドを前進させるように構成されている、アクチュエーター；
（c）カートリッジがカートリッジハウジング内に位置する場合に、プッシュロッドがカートリッジ内に前進することができる、粘性の流体を含有するカートリッジを収容するように構成されているカートリッジハウジング部分；および
（d）ユーザーがアクチュエーターを作動させると、粘性の流体をカートリッジから表面まで移動させるように構成されている2つまたはそれより多くのチューブ状部材を含む、送達装置の遠位末端に位置する先端
を含み、かつ
アクチュエーターを1回作動させると、チューブ状部材の各々から粘性の流体1滴を同時に分配し、分配された液滴の各々の容量が実質的に類似である、方法。
[本発明1050]
（a）容器中の粘性の流体が20 psiより大きい圧力下にあり、5℃以下の温度を有する、粘性の流体を含む容器；
（b）粘性の流体を受けるように構成されているカートリッジ；および
（c）流路の直径が容器からカートリッジまで同じである、容器からカートリッジまで粘性の流体を送達するための流路、
を含む、粘性の流体をカートリッジに充填するためのシステム。
[本発明1051]
圧力が約40 psiである、本発明1050のシステム。
[本発明1052]
容器に0.5 Lから1.5 Lのあいだの容量が入る、本発明1050のシステム。
[本発明1053]
粘性の流体が1000 cPの粘度を有する、本発明1050のシステム。
[本発明1054]
流路がシリコンチューブを含む、本発明1050のシステム。
[本発明1055]
容器からカートリッジへの粘性の流体の移動を停止させるための、流路に取り付けたピンチ弁を含む、本発明1050のシステム。
[本発明1056]
粘性の流体を含む容器からカートリッジまでの流路に沿って粘性の流体を流す段階を含む、粘性の流体をカートリッジに充填する方法であって、容器中の粘性の流体が、20 psiより大きい圧力下にあり、かつ5℃以下の温度を有し、および流路の直径が容器からカートリッジまで同じである、方法。